(57)【特許請求の範囲】
【請求項１】
通信可能に接続された情報記憶装置と画像送信装置とを有し、
前記情報記憶装置は、
前記画像送信装置と通信する通信部と、
前記画像送信装置により送信される画像の送信元を示す送信元情報と、前記画像送信装置により送信される画像の送信先情報とを記憶する記憶部と、
前記通信部を通して、前記画像送信装置から要求された前記送信元情報と前記送信先情報とを前記記憶部から読み出して該画像送信装置に提供する制御部と、
を備え、
前記画像送信装置は、
前記情報記憶装置と通信する通信部と、
前記通信部を通して、前記送信元情報を前記情報記憶装置に要求して取得する第１取得部と、
前記通信部を通して、前記送信先情報を前記情報記憶装置に要求して取得する第２取得部と、
前記第１取得部の取得した複数の送信元情報の中から前記画像に付加する送信元情報を選択する操作を受け付ける選択部と、
前記選択部で送信元情報の選択を受けた場合はその選択された送信元情報を付加した画像を、前記選択部で送信元情報の選択を受けない場合は当該画像送信装置に登録されているデフォルトの送信元情報を付加した画像を、前記第２取得部の取得した送信先情報の示す送信先に送信する送信部と、
を備える
ことを特徴とする画像送信システム。
【請求項２】
前記画像送信装置は、
前記情報記憶装置に前記送信元情報と前記送信先情報とを要求する操作を受け付ける操作部を更に備え、
前記第１取得部は、前記操作部で前記操作を受け付けると前記送信元情報を前記情報記憶装置に要求して取得し、
前記第２取得部は、前記操作部で前記操作を受け付けると前記送信先情報を前記情報記憶装置に要求して取得する
ことを特徴とする請求項１に記載の画像送信システム。
【請求項３】
前記情報記憶装置は、前記記憶部に前記送信元情報と前記送信先情報とをユーザ毎に記憶し、
前記画像送信装置は、ユーザを認証する認証部を更に備え、
前記第１取得部は、前記認証部の認証したユーザに対応する送信元情報を前記情報記憶装置に要求して取得し、
前記第２取得部は、前記認証部の認証したユーザに対応する送信先情報を前記情報記憶装置に要求して取得する
ことを特徴とする請求項１または２に記載の画像送信システム。
【請求項４】
前記情報記憶装置は、前記記憶部に前記送信元情報と前記送信先情報とを部門毎に記憶し、
前記画像送信装置は、部門を認証する認証部を更に備え、
前記第１取得部は、前記認証部の認証した部門に対応する送信元情報を前記情報記憶装置に要求して取得し、
前記第２取得部は、前記認証部の認証した部門に対応する送信先情報を前記情報記憶装置に要求して取得する
ことを特徴とする請求項１または２に記載の画像送信システム。
【請求項５】
前記情報記憶装置は、
前記情報記憶装置の前記通信部と、
前記送信元情報を記憶する第１記憶部と、
前記通信部を通して、前記画像送信装置から要求された前記送信元情報を前記第１記憶部から読み出して該画像送信装置に提供する第１制御部と、
を備えた第１情報記憶装置と、
前記情報記憶装置の前記通信部と、
前記送信先情報を記憶する第２記憶部と、
前記通信部を通して、前記画像送信装置から要求された前記送信先情報を前記第２記憶部から読み出して該画像送信装置に提供する第２制御部と、
を備えた第２情報記憶装置と、
からなり、
前記画像送信装置の前記第１取得部は、前記送信元情報を前記第１情報記憶装置に要求して取得し、
前記画像送信装置の前記第２取得部は、前記送信先情報を前記第２情報記憶装置に要求して取得する
ことを特徴とする請求項１乃至４のいずれか１つに記載の画像送信システム。
【請求項６】
画像の送信元を示す送信元情報を当該画像送信装置と通信可能に接続された情報記憶装置に要求して取得する第１取得部と、
画像の送信先情報を前記情報記憶装置に要求して取得する第２取得部と、
前記第１取得部の取得した複数の送信元情報の中から前記画像に付加する送信元情報を選択する操作を受け付ける選択部と、
前記選択部で送信元情報の選択を受けた場合はその選択された送信元情報を付加した画像を、前記選択部で送信元情報の選択を受けない場合は当該画像送信装置に登録されているデフォルトの送信元情報を付加した画像を、前記第２取得部の取得した送信先情報の示す送信先に送信する送信部と、
を備える
ことを特徴とする画像送信装置。
【請求項７】
前記情報記憶装置に前記送信元情報と前記送信先情報とを要求する操作を受け付ける操作部を更に備え、
前記第１取得部は、前記操作部で前記操作を受け付けると前記送信元情報を前記情報記憶装置に要求して取得し、
前記第２取得部は、前記操作部で前記操作を受け付けると前記送信先情報を前記情報記憶装置に要求して取得する
ことを特徴とする請求項６に記載の画像送信装置。
【請求項８】
ユーザを認証する認証部を更に備え、
前記第１取得部は、前記認証部の認証したユーザに対応する送信元情報を前記情報記憶装置に要求して取得し、
前記第２取得部は、前記認証部の認証したユーザに対応する送信先情報を前記情報記憶装置に要求して取得する
ことを特徴とする請求項６または７に記載の画像送信装置。
【請求項９】
部門を認証する認証部を更に備え、
前記第１取得部は、前記認証部の認証した部門に対応する送信元情報を前記情報記憶装置に要求して取得し、
前記第２取得部は、前記認証部の認証した部門に対応する送信先情報を前記情報記憶装置に要求して取得する
ことを特徴とする請求項６または７に記載の画像送信装置。
【請求項１０】
前記情報記憶装置は、
前記送信元情報を記憶する第１情報記憶装置と、
前記送信先情報を記憶する第２情報記憶装置と、
からなり、
前記第１取得部は、前記送信元情報を前記第１情報記憶装置に要求して取得し、
前記第２取得部は、前記送信先情報を前記第２情報記憶装置に要求して取得する
ことを特徴とする請求項６乃至９のいずれか１つに記載の画像送信装置。
【請求項１１】
画像送信装置に、
画像の送信元を示す送信元情報を前記画像送信装置と通信可能に接続された情報記憶装置に要求して取得する機能と、
画像の送信先情報を前記情報記憶装置に要求して取得する機能と、
前記取得した複数の送信元情報の中から前記画像に付加する送信元情報の選択をユーザから受け付ける機能と、
前記選択を受けた場合はその選択された送信元情報を付加した画像を、前記選択を受けない場合は当該画像送信装置に登録されているデフォルトの送信元情報を付加した画像を、前記取得した送信先情報の示す送信先に送信する機能と、
を実現させるためのプログラム。
【発明の詳細な説明】
【技術分野】
【０００１】
本発明は、画像を送信する画像送信装置とその画像の送信に係る情報を記憶する情報記憶装置とを有する画像送信システム、画像の送信に係る情報を情報記憶装置から取得して画像を送信する画像送信装置、および画像の送信に係る情報を情報記憶装置から取得して画像を送信するように画像送信装置を動作させるプログラムに関する。
【背景技術】
【０００２】
一般にファクシミリ機能を備えた画像送信装置は、ファクシミリ画像の受信者が送信元（発信元）を識別できるようにするために、固有の送信元情報（発信元情報）を画像に付加して送信できるようになっている。たとえば、画像送信装置を所有する部門や会社の名称、画像送信装置に設定されているファクシミリ用の電話番号（以下「ファクシミリ番号」と略称する）などを送信元情報として予め登録しておくと、画像送信装置はその部門名や会社名、ファクシミリ番号などを画像のヘッダに記載して送信できるようになっている。また、インターネットファクシミリで送信する場合には、予め登録された電子メールアドレスなどを画像のヘッダに付加して送信できるようになっている。
【０００３】
さらに、画像送信装置とネットワークで接続された情報管理サーバなどの情報記憶装置に、画像の送信先情報（宛先情報）となる送信先アドレスをアドレス帳などに登録して記憶しておき、ユーザ（送信者）が画像送信装置で認証を行うと、そのユーザ専用のアドレス帳やユーザの所属先専用のアドレス帳が情報記憶装置から画像送信装置へ提供されて利用可能となるシステムもある。このシステムでは、情報記憶装置とネットワークで接続された別の画像送信装置でも同じアドレス帳を取得できるため、ユーザが他の部門や出張先の会社などで上記の情報記憶装置と接続された画像送信装置から画像を送信するような場合でも、普段使用しているアドレス帳を情報記憶装置から取得して、送信する画像の送信先（宛先）の設定に利用できるようになる。
【０００４】
ただし、ユーザが所属先以外の場所にある画像送信装置から画像を送信した場合には、そのユーザの所属先名などを示す送信元情報とは異なる送信元情報が画像に記載されて送信される。そのため、受信者は受け取ったファクシミリ画像に記載されている送信元情報を見て、そのファクシミリ画像が知らない相手や送信元から届いたと誤認識するおそれがある。
【０００５】
一方、この送信元情報を必要に応じて変更する技術が開示されている。たとえば、他のファクシミリ送受信の実行によって滞っているファクシミリ送信を同じネットワーク上の別のファクシミリ装置が代行する際に、その代行先のファクシミリ装置が依頼元のファクシミリ装置から送信元情報を受け取って、代行するファクシミリ送信の画像に付加する技術がある（特許文献１参照）。また、ファクシミリ装置に予め登録しておいたファクシミリ送信用の送信元情報である所属部署名、個人名、電話番号などと、電子メール送信用の送信元情報である電子メールアドレスとを、ユーザの発した音声を認識して切り替える技術がある（特許文献２参照）。さらに、ファクシミリ装置に予め登録しておいた複数の送信元情報の中からユーザが所望の送信元情報を選択したり、登録されていない送信元情報をユーザが随時入力したりして、送信元情報を変更する技術などもある（特許文献３参照）。
【０００６】
【特許文献１】特開２００４−１８６９５９号公報
【特許文献２】特開２００３−１５８５９１号公報
【特許文献３】特開平６−３１５０５７号公報
【発明の開示】
【発明が解決しようとする課題】
【０００７】
しかしながら、ファクシミリ送信の代行時に送信元情報を依頼元のものに置き換える特許文献１の技術では、上述した受信者の誤認識を解消することはできない。すなわち、ユーザが所属先以外の場所のファクシミリ装置から画像を送信しようとして代行のファクシミリ送信が行われた場合にも、その画像にはユーザの所属先名などを示す送信元情報とは異なる依頼元のファクシミリ装置の送信元情報が記載されるため、受信者が送信相手や送信元を誤認識する可能性がある。
【０００８】
音声認識技術を利用して送信元情報を切り替える特許文献２の技術では、ユーザが所属先以外の場所で使おうとするファクシミリ装置に、自分の所属部署名や普段使用している電子メールアドレスなどが登録されていなければ、それらの送信元情報を画像に付加して送信することができない。そのため、この技術においても上述した受信者の誤認識を解消することはできない。
【０００９】
送信元情報をファクシミリ装置に登録されている複数の中から選択できたり、随時入力できたりする特許文献３の技術では、ユーザが所属先以外の場所で使おうとするファクシミリ装置に、自分の所属先名などを示す送信元情報が登録されていない場合には、ユーザ自身がその送信元情報を入力しなければならないため、送信元情報の設定操作が煩雑になる問題がある。
【００１０】
本発明は、上記の問題を解決しようとするものであり、受信した画像に付加されている送信元情報に基づいた受信者による送信者や送信元の誤認識を防止することができる画像送信システム、画像送信装置、およびプログラムを提供することを目的としている。
【課題を解決するための手段】
【００１１】
かかる目的を達成するための本発明の要旨とするところは、次の各項の発明に存する。
【００１２】
［１］通信可能に接続された情報記憶装置と画像送信装置とを有し、
前記情報記憶装置は、
前記画像送信装置と通信する通信部と、
前記画像送信装置により送信される画像の送信元を示す送信元情報と、前記画像送信装置により送信される画像の送信先情報とを記憶する記憶部と、
前記通信部を通して、前記画像送信装置から要求された前記送信元情報と前記送信先情報とを前記記憶部から読み出して該画像送信装置に提供する制御部と、
を備え、
前記画像送信装置は、
前記情報記憶装置と通信する通信部と、
前記通信部を通して、前記送信元情報を前記情報記憶装置に要求して取得する第１取得部と、
前記通信部を通して、前記送信先情報を前記情報記憶装置に要求して取得する第２取得部と、
前記第１取得部の取得した複数の送信元情報の中から前記画像に付加する送信元情報を選択する操作を受け付ける選択部と、
前記選択部で送信元情報の選択を受けた場合はその選択された送信元情報を付加した画像を、前記選択部で送信元情報の選択を受けない場合は当該画像送信装置に登録されているデフォルトの送信元情報を付加した画像を、前記第２取得部の取得した送信先情報の示す送信先に送信する送信部と、
を備える
ことを特徴とする画像送信システム。
【００１３】
［６］画像の送信元を示す送信元情報を当該画像送信装置と通信可能に接続された情報記憶装置に要求して取得する第１取得部と、
画像の送信先情報を前記情報記憶装置に要求して取得する第２取得部と、
前記第１取得部の取得した複数の送信元情報の中から前記画像に付加する送信元情報を選択する操作を受け付ける選択部と、
前記選択部で送信元情報の選択を受けた場合はその選択された送信元情報を付加した画像を、前記選択部で送信元情報の選択を受けない場合は当該画像送信装置に登録されているデフォルトの送信元情報を付加した画像を、前記第２取得部の取得した送信先情報の示す送信先に送信する送信部と、
を備える
ことを特徴とする画像送信装置。
【００１４】
［１１］画像送信装置に、
画像の送信元を示す送信元情報を前記画像送信装置と通信可能に接続された情報記憶装置に要求して取得する機能と、
画像の送信先情報を前記情報記憶装置に要求して取得する機能と、
前記取得した複数の送信元情報の中から前記画像に付加する送信元情報の選択をユーザから受け付ける機能と、
前記選択を受けた場合はその選択された送信元情報を付加した画像を、前記選択を受けない場合は当該画像送信装置に登録されているデフォルトの送信元情報を付加した画像を、前記取得した送信先情報の示す送信先に送信する機能と、
を実現させるためのプログラム。
【００１５】
上記［１］、［６］、および［１１］の発明では、画像送信装置と通信可能に接続された情報記憶装置に送信元情報と送信先情報とを記憶しておくことで、画像送信装置は、情報記憶装置と通信して情報記憶装置からそれらの情報が取得可能となる。送信者は、画像送信装置の取得した送信先情報を用いて、送信する画像の送信先を任意に設定できるようになる。さらに、送信する画像の送信元を示すために画像に付加する送信元情報として、画像送信装置の取得した送信元情報を使用できるようになる。たとえば、自分の氏名、自分の所属する部門や会社の名称などの所属先名、電話番号やファクシミリ番号、電子メールアドレスなどの送信元情報を情報記憶装置に記憶しておけば、送信者はそれらの送信元情報を付加した画像を、設定した送信元情報の示す送信先に送信できるようになる。
【００１６】
これにより、送信者が所属先以外の場所にある画像送信装置などから画像を送信する場合でも、情報記憶装置から自分の所属先名などを示す送信元情報を取得して画像に付加し送信できるようになる。したがって、画像に付加されている送信元情報を見た受信者が送信者や送信元を誤認識することを防止できるようになる。さらに、画像に付加する送信元情報を複数の送信元情報の中から選択できることにより、送信者が複数の部門に所属しているような場合に、送信元情報の使い分けが可能となる。これにより、送信元情報の選択・設定における利便性が向上する。また情報処理装置から取得した複数の送信元情報の中から画像に付加する送信元情報の選択をユーザから受け付けない場合は、当該画像送信装置に登録されているデフォルトの送信元情報を付加した画像を送信する。
【００１７】
［２］前記画像送信装置は、
前記情報記憶装置に前記送信元情報と前記送信先情報とを要求する操作を受け付ける操作部を更に備え、
前記第１取得部は、前記操作部で前記操作を受け付けると前記送信元情報を前記情報記憶装置に要求して取得し、
前記第２取得部は、前記操作部で前記操作を受け付けると前記送信先情報を前記情報記憶装置に要求して取得する
ことを特徴とする［１］に記載の画像送信システム。
【００１８】
［７］前記情報記憶装置に前記送信元情報と前記送信先情報とを要求する操作を受け付ける操作部を更に備え、
前記第１取得部は、前記操作部で前記操作を受け付けると前記送信元情報を前記情報記憶装置に要求して取得し、
前記第２取得部は、前記操作部で前記操作を受け付けると前記送信先情報を前記情報記憶装置に要求して取得する
ことを特徴とする［６］に記載の画像送信装置。
【００１９】
上記［２］および［７］の発明では、画像送信装置は、情報記憶装置に送信元情報と送信先情報とを要求する操作を受け付けると、それらの情報を情報記憶装置に要求して取得する。画像送信装置にて画像を送信しようとする送信者は、画像送信装置で上記の操作を行うことにより、情報記憶装置に記憶されている送信元情報と送信先情報と取得して、送信しようとする画像の送信元および送信先を設定できるようになる。
【００２０】
［３］前記情報記憶装置は、前記記憶部に前記送信元情報と前記送信先情報とをユーザ毎に記憶し、
前記画像送信装置は、ユーザを認証する認証部を更に備え、
前記第１取得部は、前記認証部の認証したユーザに対応する送信元情報を前記情報記憶装置に要求して取得し、
前記第２取得部は、前記認証部の認証したユーザに対応する送信先情報を前記情報記憶装置に要求して取得する
ことを特徴とする［１］または［２］に記載の画像送信システム。
【００２１】
［８］ユーザを認証する認証部を更に備え、
前記第１取得部は、前記認証部の認証したユーザに対応する送信元情報を前記情報記憶装置に要求して取得し、
前記第２取得部は、前記認証部の認証したユーザに対応する送信先情報を前記情報記憶装置に要求して取得する
ことを特徴とする［６］または［７］に記載の画像送信装置。
【００２２】
上記［３］および［８］の発明では、情報記憶装置にて送信先情報と送信元情報とはユーザ毎に記憶され、画像送信装置は認証したユーザに対応する送信元情報と送信先情報とを情報記憶装置から取得する。これにより、画像送信装置で認証を行ったユーザは、自分専用の送信先情報および送信元情報のみが使用可能となり、他のユーザの送信先情報および送信元情報は使用不可となる。
【００２３】
このように、ユーザ毎に使用できる送信先情報に制限を掛けることで、間違えて他のユーザが使用している送信先に画像を送信してしまうような誤送信を防止することができる。また、送信元情報や送信先情報の登録数が増加しても、それらをユーザ毎に記憶・管理することで容易に検索できるようになる。
【００２４】
［４］前記情報記憶装置は、前記記憶部に前記送信元情報と前記送信先情報とを部門毎に記憶し、
前記画像送信装置は、部門を認証する認証部を更に備え、
前記第１取得部は、前記認証部の認証した部門に対応する送信元情報を前記情報記憶装置に要求して取得し、
前記第２取得部は、前記認証部の認証した部門に対応する送信先情報を前記情報記憶装置に要求して取得する
ことを特徴とする［１］または［２］に記載の画像送信システム。
【００２５】
［９］部門を認証する認証部を更に備え、
前記第１取得部は、前記認証部の認証した部門に対応する送信元情報を前記情報記憶装置に要求して取得し、
前記第２取得部は、前記認証部の認証した部門に対応する送信先情報を前記情報記憶装置に要求して取得する
ことを特徴とする［６］または［７］に記載の画像送信装置。
【００２６】
上記［４］および［９］の発明では、情報記憶装置にて送信先情報と送信元情報とは部門毎に記憶され、画像送信装置は認証した部門に対応する送信元情報と送信先情報とを情報記憶装置から取得する。これにより、画像送信装置で認証を行った部門のユーザは、その部門専用の送信先情報および送信元情報のみが使用可能となり、他の部門の送信先情報および送信元情報は使用不可となる。
【００２７】
このように、部門毎に使用できる送信先情報に制限を掛けることで、間違えて他の部門が使用している送信先に画像を送信してしまうような誤送信を防止することができる。また、送信元情報や送信先情報の登録数が増加しても、それらを部門毎に記憶・管理することで容易に検索できるようになる。
【００３１】
［５］前記情報記憶装置は、
前記情報記憶装置の前記通信部と、
前記送信元情報を記憶する第１記憶部と、
前記通信部を通して、前記画像送信装置から要求された前記送信元情報を前記第１記憶部から読み出して該画像送信装置に提供する第１制御部と、
を備えた第１情報記憶装置と、
前記情報記憶装置の前記通信部と、
前記送信先情報を記憶する第２記憶部と、
前記通信部を通して、前記画像送信装置から要求された前記送信先情報を前記第２記憶部から読み出して該画像送信装置に提供する第２制御部と、
を備えた第２情報記憶装置と、
からなり、
前記画像送信装置の前記第１取得部は、前記送信元情報を前記第１情報記憶装置に要求して取得し、
前記画像送信装置の前記第２取得部は、前記送信先情報を前記第２情報記憶装置に要求して取得する
ことを特徴とする［１］乃至［４］のいずれか１つに記載の画像送信システム。
【００３２】
［１０］前記情報記憶装置は、
前記送信元情報を記憶する第１情報記憶装置と、
前記送信先情報を記憶する第２情報記憶装置と、
からなり、
前記第１取得部は、前記送信元情報を前記第１情報記憶装置に要求して取得し、
前記第２取得部は、前記送信先情報を前記第２情報記憶装置に要求して取得する
ことを特徴とする［６］乃至［９］のいずれか１つに記載の画像送信装置。
【００３３】
上記［５］および［１０］の発明では、画像送信装置は、送信元情報を第１情報記憶装置から取得し、送信先情報を第２情報記憶装置から取得する。このように、送信元情報と送信先情報とを複数の情報記憶装置に分けて記憶することにより、これらの情報を１つの情報記憶装置に一括して記憶する場合に比べて、記憶する情報量の増加などに容易に対応できるようになる。さらに、これらの情報を種類毎（送信元／送信先）に分けることで、混在させて複数の情報記憶装置に記憶するような場合に比べて、情報の管理やメンテナンスなども行い易くなる。
【発明の効果】
【００３４】
本発明によれば、受信した画像に付加されている送信元情報に基づいた受信者による送信者や送信元の誤認識を防止できるようになる。
【発明を実施するための最良の形態】
【００３５】
以下、図面に基づき本発明の実施の形態を説明する。
【００３６】
図１は、本発明の実施の形態に係る画像送信システム５のシステム構成例を示している。画像送信システム５は、サーバ１０と、サーバ１０へアクセスする複合機（ＭＦＰ；Multi Function Peripheral/Multi Function Printer）２０とをＬＡＮ（Local Area Network）などのネットワーク２に接続して構成される。
【００３７】
複合機２０は、原稿のコピー機能、プリンタ機能、スキャナ機能、ファクシミリ機能などを備えた装置（画像送信装置）である。ファクシミリ機能には、公衆回線を通じて外部機器と画像データをファクシミリ送受信する一般的なファクシミリ機能（Ｆａｘ機能）のほかに、画像データなどを電子メールの添付ファイルとしてＩＰネットワーク網を通じて外部機器とファクシミリ送受信するインターネットファクシミリ機能（ＩＦａｘ機能）などが含まれている。
【００３８】
サーバ１０は、複合機２０によるファクシミリ送信において使用される送信元情報と送信先情報とを記憶し、複合機２０からネットワーク２を通じて要求されたそれらの情報を複合機２０に提供する機能を備えた装置（情報記憶装置）である。この送信元情報と送信先情報とは、複数（２台）のサーバ１０に分けて記憶することも可能であるが、本実施の形態では１台のサーバ１０、たとえば図１に示す「Ｓｅｒｖｅｒ１」などに記憶した場合で説明する。
【００３９】
図２は、サーバ１０の概略構成を示している。サーバ１０は、制御部としてのＣＰＵ（Central Processing Unit）１１に、バス１２を介してＲＯＭ（Read Only Memory）１３と、ＲＡＭ（Random Access Memory）１４と、ハードディスク装置１５（図中、ＨＤＤ；Hard Disk Driveと表示）と、ネットワーク通信部１６とを接続して構成される。
【００４０】
ＣＰＵ１１は、ＲＯＭ１３に格納されているプログラムに基づいてサーバ１０の動作を制御する。ＲＡＭ１４はＣＰＵ１１がプログラムを実行する際に各種データを一時的に格納するワークメモリなどとして使用される。
【００４１】
ハードディスク装置１５は、サーバ用のオペレーティングシステム（Operating System；ＯＳ）とそのＯＳ上で動作する各種のアプリケーションプログラムのほか、各種の保存データやアドレス帳５０などを格納する。アドレス帳５０は、上記の送信元情報と送信先情報とを登録、編集、管理するために用いるツールである。アドレス帳５０は、ユーザ毎や部門毎に複数作成してハードディスク装置１５に記憶できるようになっている。
【００４２】
ネットワーク通信部１６は、ネットワーク２を通じて複合機２０などの外部装置と通信する機能を果たす。
【００４３】
ＣＰＵ１１はプログラムを実行することで、ハードディスク装置１５に記憶されたアドレス帳５０をユーザ毎や部門毎に記憶・管理したり、ネットワーク通信部１６により複合機２０と通信して、複合機２０から要求されたアドレス帳５０をハードディスク装置１５から読み出し複合機２０に送信して提供したりする機能を果たす。
【００４４】
図３は、複合機２０の概略構成を示している。複合機２０は、制御部としてのＣＰＵ２１に、バス２２を介してＲＯＭ２３と、ＲＡＭ２４と、不揮発メモリ２５と、ハードディスク装置２６（図中、ＨＤＤと表示）と、操作表示部２７と、ファクシミリ通信部２８と、ネットワーク通信部２９と、画像処理部３０と、スキャナ部３１と、プリンタ部３２とを接続して構成される。
【００４５】
ＣＰＵ２１は、ＲＯＭ２３に格納されているプログラムに基づいて複合機２０の動作を制御する。ＲＡＭ２４はＣＰＵ２１がプログラムを実行する際に各種データを一時的に格納するワークメモリとして使用されるほか、画像データを一時的に保存するための画像メモリなどにも使用される。不揮発メモリ２５は、電源がオフされても記憶が保持されるメモリであり、アドレス帳５０の入手先情報となるサーバ１０のＩＰアドレス、後述する認証情報、デフォルトで設定されている送信元情報や管理者などにより設定された送信元情報などが記憶される。ハードディスク装置２６は、複合機２０を動作させるＯＳや複合機２０の各種機能を動作させるアプリケーションプログラム、各種の保存データなどを格納するほか、原稿のコピーや図示しない端末などの外部装置から依頼された印刷における画像データ（印刷データ）なども保存する。
【００４６】
操作表示部２７は、ユーザに各種の操作画面や案内画面を表示する表示部としての機能と、ユーザが複合機２０に対して行う操作や入力を受け付ける操作部としての機能とを果たす。ここでは、操作表示部２７は液晶ディスプレイとその画面上に設けられたタッチパネルと、各種のスイッチ類とで構成される。
【００４７】
操作表示部２７に表示される画面には、ユーザや部門の認証を行うための認証画面（ログイン画面）や、複合機２０におけるモード（機能）の選択や設定などを行うための操作パネル画面や、複合機２０がサーバ１０から取得したアドレス帳５０を表示したアドレス帳画面などがある。操作表示部２７が受け付ける操作には、認証画面を通した認証情報の入力操作や、操作パネル画面を通したモードの選択・設定操作や、アドレス帳画面を通した送信元情報の選択操作および送信先情報の選択操作などがある。認証情報は、ユーザ認証を行う場合はユーザ名を使用し、部門認証を行う場合は部門名を使用する。また、操作パネル画面を通してスキャンモードまたはファクシミリモードが選択されると、複合機２０はサーバ１０に対してアドレス帳５０の送信を要求する。
【００４８】
このように、操作表示部２７は、送信元情報と送信先情報とが登録されたアドレス帳５０をサーバ１０に要求する操作を受け付ける操作部としての機能を果たす。さらに、複合機２０がサーバ１０から取得した複数の送信元情報の中から、送信する画像に付加する送信元情報を選択する操作を受け付ける選択部としての機能も果たす。
【００４９】
ファクシミリ通信部２８は、ファクシミリ機能を備えた外部装置と公衆回線を通じて通信する機能を果たす。ネットワーク通信部２９は、サーバ１０などの外部装置とネットワーク２を通じて通信する機能を果たす。
【００５０】
スキャナ部３１は、原稿を光学的に読み取って画像データを取得する機能を果たす。スキャナ部３１は、たとえば、原稿に光を照射する光源と、原稿からの反射光を受光して原稿を幅方向に１ライン分読み取るイメージセンサと、イメージセンサによるライン単位の読み取り位置を原稿の長さ方向に移動させるスキャン機構と、原稿からの反射光をイメージセンサに導いて結像させるレンズやミラーからなる光学経路などで構成される。画像処理部３０は画像データに対して、画像補正、回転、拡大／縮小、圧縮／伸張など各種の画像処理を施す機能を果たす。
【００５１】
プリンタ部３２は、入力された画像データに対応する画像を記録紙に印刷して出力する機能を果たす。たとえば、記録紙の搬送装置と、感光体ドラムと、帯電装置と、レーザーユニットと、現像装置と、転写分離装置と、クリーニング装置と、定着装置などを備え、電子写真プロセスによって記録紙上に画像を形成するレーザープリンタなどとして構成される。
【００５２】
ＣＰＵ２１はプログラムを実行することで、操作表示部２７の認証画面で入力された認証情報と、不揮発メモリ２５に予め記憶されている認証情報とに基づいて、認証を行う認証部としての機能を果たす。また、サーバ１０にアドレス帳５０（送信元情報および送信先情報）を要求して取得する取得部（第１取得部／第２取得部）としての機能を果たす。詳細は、操作表示部２７の操作パネル画面でスキャンモードもしくはファクシミリモードが選択されると、ネットワーク通信部２９によりサーバ１０と通信して、サーバ１０にアドレス帳５０を要求し、サーバ１０から提供されるアドレス帳５０を取得する機能を果たす。さらに、取得したアドレス帳５０に登録されている送信元情報と送信先情報とを、操作表示部２７のアドレス帳画面に表示する機能を果たす。
【００５３】
たとえば、認証情報としてユーザ名が入力されユーザを認証した場合は、その認証したユーザに対応するアドレス帳５０をサーバ１０に要求して取得する。認証情報として部門名が入力され部門を認証した場合は、その認証した部門に対応するアドレス帳５０をサーバ１０に要求して取得する。そして、取得したアドレス帳５０の内容を操作表示部２７に表示させる。
【００５４】
また、操作表示部２７のアドレス帳画面にて、表示された送信先情報の選択操作を受け付け、選択された送信先情報が示す送信先に画像を送信する機能を果たす。さらに、操作表示部２７のアドレス帳画面にて、表示された送信元情報の選択操作を受け付け、送信元情報が選択されない場合は、送信元情報を画像に付加せずに送信したり、デフォルトの送信元情報や管理者などにより予め設定された送信元情報を画像に付加して送信したりする。送信元情報が選択された場合は、その選択された送信元情報を画像に付加して送信する機能を果たす。
【００５５】
図４は、サーバ１０に記憶されたユーザ用のアドレス帳５０の一例を示している。
【００５６】
サーバ１０のハードディスク装置１５には、複数のユーザのアドレス帳５０を記憶して保存することができる。各ユーザのアドレス帳５０には、複数の送信先情報と複数の送信元情報とが登録可能とされる。送信先情報は、ユーザ毎に使用を許可された送信先（相手先）のファクシミリ番号や電子メールアドレスなどである。送信元情報は、複合機２０のファクシミリ番号、ユーザの所属する（複合機２０を管理もしくは所有する）部門や会社などの名称、複合機２０の電子メールアドレスなどである。
【００５７】
管理者などは、上記の送信先情報と送信元情報とをユーザ毎に設定して各ユーザのアドレス帳５０に登録し、それらのアドレス帳５０をサーバ１０に保存する。また、ユーザ用のアドレス帳５０には、ユーザ情報（ユーザ名など）をアドレス帳５０に対応付けてサーバ１０に保存する。
【００５８】
図４には、管理者により作成されてサーバ１０に保存されたユーザＡのアドレス帳５０ＵＡとユーザＢのアドレス帳５０ＵＢとを示している。ユーザＡのアドレス帳５０ＵＡには、ユーザＡに対して使用が許可された送信先情報５１ＵＡと送信元情報５２ＵＡとが登録されている。ユーザＢのアドレス帳５０ＵＢにも同様に、ユーザＢに対して使用が許可された送信先情報５１ＵＢと送信元情報５２ＵＢとが登録されている。
【００５９】
送信先情報５１ＵＡ、５１ＵＢは、本例では図中の「宛先１」、「宛先２」、「宛先３」に示すような送信先のファクシミリ番号となっている。送信元情報５２ＵＡ、５１ＵＢは、本例では図中の「発信元１」に示すようなファクシミリ番号と、図中の「発信元２」に示すような会社名および部門名と、図中の「発信元３」に示すような電子メールアドレスとなっている。
【００６０】
送信元情報５２ＵＡにおけるファクシミリ番号と電子メールアドレスとは、ユーザＡに対して使用が許可された、すなわち、ユーザＡが普段使用する複合機２０のファクシミリ番号と電子メールアドレスである。送信元情報５２ＵＡにおける会社名および部門名は、ユーザＡの所属する会社および部門の各名称である。同様に、送信元情報５２ＵＢにおけるファクシミリ番号と電子メールアドレスとは、ユーザＢに対して使用が許可された、すなわち、ユーザＢが普段使用する複合機２０のファクシミリ番号である。送信元情報５２ＵＢにおける会社名および部門名は、ユーザＢの所属する会社および部門の各名称である。
【００６１】
図５は、サーバ１０に記憶された部門用のアドレス帳５０の一例を示している。
【００６２】
サーバ１０のハードディスク装置１５には、複数の部門のアドレス帳５０を記憶して保存することができる。各部門のアドレス帳５０には、ユーザ用と同様に、複数の送信先情報と複数の送信元情報とが登録可能とされる。送信先情報は、部門毎に使用を許可された送信先（相手先）のファクシミリ番号や電子メールアドレスなどである。送信元情報は、複合機２０のファクシミリ番号、複合機２０を管理もしくは所有する部門の名称、複合機２０の電子メールアドレスなどである。
【００６３】
管理者などは、上記の送信先情報と送信元情報とを部門毎に設定して各部門のアドレス帳５０に登録し、それらのアドレス帳５０をサーバ１０に保存する。また、部門用のアドレス帳５０には、部門情報（部門名など）をアドレス帳５０に対応付けてサーバ１０に保存する。
【００６４】
図５には、管理者により作成されてサーバ１０に保存された部門Ａのアドレス帳５０ＳＡと部門Ｂのアドレス帳５０ＳＢとを示している。部門Ａのアドレス帳５０ＳＡには、部門Ａに対して使用を許可された送信先情報５１ＳＡと送信元情報５２ＳＡとが登録されている。部門Ｂのアドレス帳５０ＳＢにも同様に、部門Ｂに対して使用が許可された送信先情報５１ＳＢと送信元情報５２ＳＢとが登録されている。
【００６５】
送信先情報５１ＳＡ、５１ＳＢは、本例では図中の「宛先１」、「宛先２」、「宛先３」に示すような送信先のファクシミリ番号となっている。送信元情報５２ＳＡ、５１ＳＢは、本例では図中の「発信元１」に示すようなファクシミリ番号と、図中の「発信元２」に示すような部門名と、図中の「発信元３」に示すような電子メールアドレスとなっている。
【００６６】
送信元情報５２ＳＡにおけるファクシミリ番号と電子メールアドレスとは、部門Ａの各ユーザに対して使用が許可された、すなわち、部門Ａの各ユーザが普段使用する複合機２０のファクシミリ番号と電子メールアドレスである。送信元情報５２ＳＡにおける部門名は、上記の複合機２０を管理もしくは所有している部門Ａの名称である。同様に、送信元情報５２ＳＢにおけるファクシミリ番号と電子メールアドレスとは、部門Ｂの各ユーザに対して使用が許可された、すなわち、部門Ｂの各ユーザが普段使用する複合機２０のファクシミリ番号と電子メールアドレスである。送信元情報５２ＳＢにおける部門名は、上記の複合機２０を管理もしくは所有している部門Ｂの名称である。
【００６７】
このようにして、ユーザ用や部門用のアドレス帳５０が作成され、サーバ１０に保存される。また、ユーザ用や部門用のほかに、共用のアドレス帳５０を作成し、サーバ１０に保存することも可能である。この場合は、管理者などが全ユーザに共通で使用を許可する送信先情報と送信元情報とを設定し、共用のアドレス帳５０に登録してその共用のアドレス帳５０をサーバ１０に保存する。
【００６８】
次に、複合機２０の動作について説明する。
【００６９】
図６は、複合機２０によるサーバ１０からのアドレス帳５０の取得の処理の流れを示している。
【００７０】
複合機２０が起動すると、ＣＰＵ２１は本処理を開始し（Ｓｔａｒｔ）、操作表示部２７に認証画面（ログイン画面）を表示させて、認証情報の入力を受け付ける状態にする（ステップＳ１０１）。
【００７１】
認証情報が入力されなければ、認証画面の表示を継続する（ステップＳ１０２；Ｎ〜ステップＳ１０１のループ）。認証情報が入力された場合には、ＣＰＵ２１は、入力された認証情報に基づいて認証を行う。
【００７２】
認証情報としてユーザ名が入力され、ユーザでログインしようとした場合には、ＣＰＵ２１は、不揮発メモリ２５に記憶されているユーザ名と、入力されたユーザ名とを比較・照合し、一致するものがなければ認証を不許可にする。一致するものがあれば認証を許可する。
【００７３】
認証情報として部門名が入力され、部門でログインしようとした場合には、ＣＰＵ２１は、不揮発メモリ２５に記憶されている部門名と、入力された部門名とを比較・照合し、一致するものがなければ認証を不許可にする。一致するものがあれば認証を許可する。
【００７４】
認証を不許可にした場合は（ステップＳ１０３；Ｎ）、ＣＰＵ２１は操作表示部２７にエラー画面を所定時間だけ表示させ（ステップＳ１０４）、ステップＳ１０１に戻りそれ以降を継続する。
【００７５】
認証を許可した場合は（ステップＳ１０３；Ｙ）、ＣＰＵ２１は、サーバ１０に対してアドレス帳の送信要求を送信する。ユーザでログインした場合には、ＣＰＵ２１は、そのログインしたユーザのユーザ情報（ユーザ名）をアドレス帳の送信要求に付加してサーバ１０に送信する。部門でログインした場合には、ＣＰＵ２１は、そのログインした部門の部門情報（部門名）をアドレス帳の送信要求に付加してサーバ１０に送信する（ステップＳ１０５）。
【００７６】
サーバ１０は、ユーザ情報の付加された送信要求を複合機２０から受信した場合には、そのユーザ情報に対応するユーザのアドレス帳５０をハードディスク装置１５から読み出して複合機２０に送信する。部門情報の付加された送信要求を複合機２０から受信した場合には、その部門情報に対応する部門のアドレス帳５０をハードディスク装置１５から読み出して複合機２０に送信する。
【００７７】
複合機２０では、ＣＰＵ２１は、サーバ１０が送信したアドレス帳５０をネットワーク通信部２９を通して受信し、本処理を終了する（Ｅｎｄ）。
【００７８】
その後、複合機２０では、ＣＰＵ２１がアドレス帳５０に登録されている送信元情報と送信先情報とを操作表示部２７にアドレス帳画面として表示させ、アドレス帳画面を通した送信元情報と送信先情報の選択操作により、ファクシミリ送信する画像の送信先と送信元の設定を受け付ける状態にする。ここで、アドレス帳画面における送信元情報が選択された場合には、ＣＰＵ２１はその送信元情報を画像に付加し、選択された送信先情報が示す送信先に画像を送信する。この画像の受信者は、画像に付加されている送信元情報を確認して、送信元を識別できるようになる。
【００７９】
たとえば、ユーザＡが普段使用している複合機２０、たとえば、図１に示すＭＦＰ１から画像を送信する場合には、ユーザＡがＭＦＰ１でユーザ認証を行うと、ＭＦＰ１はサーバ１０からユーザＡのアドレス帳５０を取得する。ユーザＡは、自分のアドレス帳５０に登録されている送信先情報の中から該当する送信先情報を選択し、その送信先情報が示す送信先に画像を送信することができる。ここで、ユーザＡがアドレス帳５０から送信元情報を選択しなければ、ＭＦＰ１にデフォルトで登録されている、もしくは管理者が予め登録した部門名などの送信元情報が画像に付加されて送信される。
【００８０】
この画像の受信者は、画像に付加されている送信元情報を見て、ユーザＡの所属する部門などから画像が届いたと正しく認識する。
【００８１】
また、ユーザＡが普段使用している複合機２０とは異なる複合機２０、たとえば、図１に示すＭＦＰ２から画像を送信する場合には、ユーザＡがＭＦＰ２でユーザ認証を行うと、ＭＦＰ２はサーバ１０からユーザＡのアドレス帳５０を取得する。ユーザＡは、自分のアドレス帳５０に登録されている送信先情報の中から該当する送信先情報を選択し、その送信先情報が示す送信先に画像を送信することができる。さらに、ユーザＡがアドレス帳５０に登録されている自分の所属部門名などの送信元情報を選択すると、ＭＦＰ２にデフォルトで登録されている、もしくは、管理者が予め登録したＭＦＰ２の固有の送信元情報、たとえば、ＭＦＰ２を管理もしくは所有している部門の名称などではなく、ユーザＡの選択した送信元情報が画像に付加されて送信される。
【００８２】
この画像の受信者は、画像に付加されている送信元情報を見て、ユーザＡの所属する部門などから画像が届いたと認識するようになり、送信者や送信元を誤認識しないようになる。
【００８３】
このように、本実施の形態に係る画像送信システム５では、送信者が所属先以外の場所にある複合機２０などから画像を送信する場合でも、普段使用しているアドレス帳５０をサーバ１０から取得し、そのアドレス帳５０に登録されている送信元情報および送信先情報を使用して画像を送信できるようになる。すなわち、自分の所属先名（部門名や会社名）などを示す送信元情報を取得して画像に付加し送信できるようになる。したがって、画像に付加されている送信元情報を見た受信者が送信者や送信元を誤認識することを防止できるようになる。
【００８４】
また、たとえば、ネットワーク２に接続された全ての複合機２０でサーバ１０から送信元情報および送信先情報を取得する設定にすることにより、情報の登録作業やメンテナンス作業を容易化することができる。すなわち、多数の複合機２０を新規に導入した場合でも、個々の複合機２０に情報を登録する必要はなく、情報を変更する際はサーバ１０の登録情報のみを変更するだけでよくなり、情報の登録作業やメンテナンス作業が簡単に行えるようになる。さらに、一般に大企業などでは情報漏洩を防ぐために、送信先の管理や制限が行われているが、本実施の形態に係る画像送信システム５であれば、送信元情報および送信先情報の一元管理が可能であり好適である。
【００８５】
また、複合機２０でユーザ認証を行ったユーザは、自分専用のアドレス帳５０のみが使用可能となり、他のユーザのアドレス帳５０は使用不可となる。たとえば、複合機２０で認証を行ったユーザＡは、自分専用のアドレス帳５０ＵＡのみが使用可能となり、ユーザＢのアドレス帳５０ＵＢなどは使用不可となる。このように、ユーザ毎に使用できるアドレス帳５０に制限を掛けることで、間違えて他のユーザが使用している送信先に画像を送信してしまうような誤送信を防止することができる。また、送信元情報や送信先情報の登録数が増加しても、それらをユーザ毎に記憶・管理することで容易に検索できるようになる。
【００８６】
また、複合機２０で部門認証を行ったユーザは、自分の所属する部門専用のアドレス帳５０のみが使用可能となり、他の部門のアドレス帳５０は使用不可となる。たとえば、複合機２０で認証を行った部門Ａのユーザは、部門Ａ専用のアドレス帳５０ＳＡのみが使用可能となり、部門Ｂのアドレス帳５０ＳＢなどは使用不可となる。このように、部門毎に使用できるアドレス帳５０に制限を掛けることで、間違えて他の部門が使用している送信先に画像を送信してしまうような誤送信を防止することができる。また、送信元情報や送信先情報の登録数が増加しても、それらを部門毎に記憶・管理することで容易に検索できるようになる。
【００８７】
また、本実施の形態に係る複合機２０は、画像に付加する送信元情報を複数の送信元情報の中から選択することができる。これにより、複数の部門に所属しているユーザなどに対しては、そのユーザのアドレス帳５０に所属先となる複数の部門の名称などを登録しておくことで、そのユーザは送信元情報を適宜使い分けられるようになる。したがって、複合機２０における送信元情報の選択・設定の利便性が向上するようになる。
【００８８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８９】
たとえば、実施の形態では、１台のサーバ１０に送信元情報と送信先情報とを記憶するようにしているが、送信元情報と送信先情報とは複数のサーバ１０に分けて記憶するようにしてもよい。たとえば、図１に示すＳｅｒｖｅｒ１に送信元情報を記憶し、Ｓｅｒｖｅｒ２に送信先情報（アドレス帳）を記憶するなどしてもよい。この場合には、複合機２０はスキャンモードもしくはファクシミリモードの選択操作を受けると、Ｓｅｒｖｅｒ１にアクセスして送信元情報を取得すると共に、Ｓｅｒｖｅｒ２にアクセスして送信先情報を取得するなどの動作を行うようにすればよい。
【００９０】
また実施の形態では、複合機２０がスキャンモードもしくはファクシミリモードの選択操作を受けてサーバ１０にアドレス帳５０を要求するようにしているが、この要求は他の操作などを契機に行うようにしてもよい。たとえば、ログイン操作を受けてユーザや部門を認証したことを契機にアドレス帳５０を要求するなどしてもよい。
【００９１】
また、複合機２０の取得した送信先情報を送信元情報として使用できるようにしてもよい。具体的には、複合機２０の取得したアドレス帳に登録されている送信先情報の中に、自分の送信元情報として使用可能な情報が含まれている場合には、その情報を送信元情報として使用する選択操作を行うと、送信する画像に送信元情報として付加されるなどしてもよい。たとえば、共用のアドレス帳に、送信先情報として複数のユーザの氏名や電子メールアドレスが登録されており、この中に自分の氏名や電子メールアドレスがあればそれを送信元情報として使用するなどが可能である。
【００９２】
また実施の形態では、複合機２０がユーザ認証や部門認証を行うようにしているが、これらの認証は、ネットワーク２上に設けた認証サーバで行うようにしてもよい。この場合には、複合機２０は入力された認証情報をネットワーク２を通じて認証サーバに送信する。認証サーバは、複合機２０から受信した認証情報に基づいて認証を行い、認証結果を複合機２０に通知する。認証不許可の通知を受けた場合には、複合機２０は操作表示部２７にエラー画面を表示させる。認証許可の通知を受けた場合には、複合機２０はサーバ１０にアドレス帳５０を要求するなどの動作を行うようにすればよい。
【００９３】
また、本発明に係る画像送信システムが備える情報記憶装置は、実施の形態で説明したサーバに限らず、このサーバと同等の機能を備えたネットワークの中核を担う複合機なども含まれる。さらに、本発明に係る画像送信装置、および、本発明に係る画像送信システムが備える画像送信装置は、実施の形態で説明した複合機に限らず、ファクシミリ機やファクシミリ機能を備えた複写機なども含まれる。
【図面の簡単な説明】
【００９４】
【図１】本発明の実施の形態に係る画像送信システムのシステム構成を示す図である。
【図２】本発明の実施の形態に係る情報記憶装置としてのサーバの概略構成を示すブロック図である。
【図３】本発明の実施の形態に係る画像送信装置としての複合機の概略構成を示すブロック図である。
【図４】本発明の実施の形態に係るサーバにユーザ毎に記憶されるアドレス帳を示す図である。
【図５】本発明の実施の形態に係るサーバに部門毎に記憶されるアドレス帳を示す図である。
【図６】本発明の実施の形態に係る複合機によるサーバからのアドレス帳の所得の処理を示す流れ図である。
【符号の説明】
【００９５】
２…ネットワーク
５…画像送信システム
１０…サーバ
１１…ＣＰＵ
１２…バス
１３…ＲＯＭ
１４…ＲＡＭ
１５…ハードディスク装置
１６…ネットワーク通信部
２０…複合機（ＭＦＰ）
２１…ＣＰＵ
２２…バス
２３…ＲＯＭ
２４…ＲＡＭ
２５…不揮発メモリ
２６…ハードディスク装置
２７…操作表示部
２８…ファクシミリ通信部
２９…ネットワーク通信部
３０…画像処理部
３１…スキャナ部
３２…プリンタ部
３３…認証部
５０、５０ＳＡ、５０ＳＢ、５０ＵＡ、５０ＵＢ…アドレス帳
５１ＳＡ、５１ＳＢ、５１ＵＡ、５１ＵＢ…送信先情報
５２ＳＡ、５２ＳＢ、５２ＵＡ、５２ＵＢ…送信元情報
【図１】
0005062011.tif 000002
【図２】
0005062011.tif 000003
【図３】
0005062011.tif 000004
【図４】
0005062011.tif 000005
【図５】
0005062011.tif 000006
【図６】
0005062011.tif 000007